(57)【特許請求の範囲】
【請求項１】
引戸を閉める際にストライクに当たると錠ケースの水平方向トリガーガイドに案内されながら後退動するトリガー３１と、このトリガーが錠ケース内へと後退動する際に動力変換機構を介してストライクと掛合する方向へ回転する鎌片４０とを備える建具用引戸錠において、前記トリガー３１の横長状杆部に水平方向に障害部分としての所定長の係合突起を設け、また、前記錠ケースに該錠ケースに形成した操作片用窓と対向し、かつ前記操作片が入り込む取り付け窓を有すると共に、該錠ケースに案内される垂直胴部６３に連設する鉤状腕部６１を有するスライド施錠部６０材を上下動自在に内装し、閉戸時、前記鎌片４０がストライク側に完全に突出しない場合には、前記鉤状腕部が、トリガーの前記係合突起の水平面に当接して該スライド施錠部材は、本施錠方向への移動が阻止され、一方、鎌片４０がストライク側に完全に突出した場合には、前記鉤状腕部が、トリガーの前記係合突起の水平面に当接せず、該スライド施錠部材は、本施錠方向へ所定位置まで移動、しかも、該スライド施錠部材は、錠ケースに内装されたバネ部材６５のバネ力により常時係合方向に付勢されていることを特徴とする建具用引戸錠。
【発明の詳細な説明】
【０００１】
【発明の属する技術分野】
本発明は、引戸の閉戸時、トリガーに連動する鎌片を備えた建具用引戸錠に関する。
【０００２】
【従来の技術】
錠ケースのフロントから受け金具に向かって突出するトリガー（水平突出杆）と、このトリガーに連動する鎌片を備えた建具用引戸錠は、例えば実開昭５７−１１０２６０号公報、特開平８−８６１３２号の各実施例に記載されている。
【０００３】
この種の引戸錠は、引戸の閉戸時、トリガーの先端面がストライクの表面に突き当たると、後退動し始め、ラック及びピニオンという動力変換機構を介して鎌片が掛合方向へと突出回転する。したがって、鎌片が錠ケース内に多少でも回転後退すると、動力変換機構を介してトリガーがストライク側へ進出する関係にある。
【０００４】
ところで、現在、この種の引戸錠に於いて、引戸を閉めた場合に於いて、鎌片がストライク側に完全に突出していない、いわゆる不完全な状態でトリガーをロックしないような工夫が要望されている。また、鎌片が完全に突出した状態に於いて、本施錠部材を介してトリガーをロックした場合であっても、多少の「チリ設定」があった場合には、さらに引戸を閉めることができるような工夫も合わせて要求されている。
【０００５】
【発明が解決しようとする課題】
本発明の第１の目的は、閉戸時、鎌片がストライク側に完全に出ていない場合には、中途半端な本施錠状態になるという事態を回避するために、スライド施錠部材を施錠方向へ押し下げることができないようにすることである。第２の目的は、本施錠状態に於いて、チリ寸法を狭める方向に引戸を閉めても、スライド施錠部材は、トリガー及び鎌片との関係では常に安定的な本施錠状態を維持することができることである。第３の目的は、鎌片がスムースに水平移動することである。
【０００６】
【課題を解決するための手段】
本発明の建具用引戸錠は、引戸を閉める際にストライクに当たると錠ケースの水平方向トリガーガイドに案内されながら後退動するトリガー３１と、このトリガーが錠ケース内へと後退動する際に動力変換機構を介してストライクと掛合する方向へ回転する鎌片４０とを備える建具用引戸錠において、前記トリガー３１の横長状杆部に水平方向に障害部分としての所定長の係合突起を設け、また、前記錠ケースに該錠ケースに形成した操作片用窓と対向し、かつ前記操作片が入り込む取り付け窓を有すると共に、該錠ケースに案内される垂直胴部６３に連設する鉤状腕部６１を有するスライド施錠部６０材を上下動自在に内装し、閉戸時、前記鎌片４０がストライク側に完全に突出しない場合には、前記鉤状腕部が、トリガーの前記係合突起の水平面に当接して該スライド施錠部材は、本施錠方向への移動が阻止され、一方、鎌片４０がストライク側に完全に突出した場合には、前記鉤状腕部が、トリガーの前記係合突起の水平面に当接せず、該スライド施錠部材は、本施錠方向へ所定位置まで移動、しかも、該スライド施錠部材は、錠ケースに内装されたバネ部材６５のバネ力により常時係合方向に付勢されていることを特徴とする。
【０００７】
上記構成に於いて、スライド施錠部材６０は、錠ケースのガイド軸１７に垂直長孔６４を介して案内される垂直胴部６３と、この垂直胴部６３の上端部に連設する鉤状腕部６１と、この鉤状腕部６１に設けられかつトリガーに形成した被係合部３６と係脱する係合爪片６２とから成り、本施錠時、錠ケースに内装されたバネ部材６５のバネ力により常時係合方向に付勢されていることを特徴とする。また、引戸１をさらにチリを狭める方向Ａに閉じると、トリガー３１及びこれに動力変換機構を介して合体的な関係にある鎌片４０が一緒に錠ケース１０に後退することができるように、鎌片を軸支する水平移動軸４２が錠ケース１０に形成されたチリ調整用の横長軸孔１９，２１に軸支されていることを特徴とする。加えて、鎌片に、少なくとも一つ以上のスライド係合ピンを有する案内板或いは案内部を設け、該スライド係合ピンは、本施錠時、錠ケース１０に形成された鎌片回転用弧状案内部に連通するチリ調整用の横方向案内部を摺動することを特徴とする。
【０００８】
【発明の実施の形態】
図１乃至図６に示す第１実施例を参照に本発明を説明する。
【０００９】
（１）発明の実施の環境
まず図１を参照に発明の実施の環境について説明する。Ｘは引戸１の中に収められる彫り込み型又は引戸面に固定的に取り付けられる面付け型引戸錠である。一方、Ｙは戸枠２に固定的に取り付けられた受け金具で、この受け金具Ｙは、ボックス部を有するトロヨケ３と、このトロヨケ３の開口に重ね合わせられたストライク（受座）４とから成る。ストライク４は縦長板状に形成され、複数個の固着手段５を介してトロヨケ３の耳状取付け部に固定される。
【００１０】
７は前記ストライク４の縦長窓６寄りの適宜部位に突出状態に固定された押し込みピンで、本実施例ではトリガーの先端部に指向するようにストライク４の上部壁４ａにカシメ固定されている。したがって、ストライク４は、引戸１を閉める際に該押し込みピン７を介してトリガーを後退動させる。なお、押し込みピン７は本発明の特定要件ではなく、トリガーの先端面を直接ストライク４に当てても良い。
【００１１】
（２）錠ケース１０
次に図２を参照に錠ケースについて説明する。１０は引戸１の縦框に内装される錠ケースである。この錠ケース１０は、枠状の「ケース身１０ａ」と、このケース身の大きい開口部を閉鎖する板状の「ケース蓋１０ｂ」とから成る。錠ケース１０も引戸錠Ｘの一部を成す。
１１は錠ケース１０の前側の開口に固定されたフロントである。このフロント１１は、普通一般に錠ケース１０の長板状蓋板（或いは前壁）１２に固定されている。１３は錠ケースを引戸１に固定するための複数個の第２固着手段である。１４は鎌片用出入り窓、一方、１５はトリガー用窓である。
（３）ケース身１０ａとケース蓋１０ｂ
ここで、錠ケース１０を構成するケース身１０ａとケース蓋１０ｂの主な構成要件について説明する。
【００１２】
まず図１及び図２を参照にケース身１０ａについて説明する。１６ａはトリガーバネを支持するためにケース身１０ａの後壁に突出するように固定されたバネ支持具、１６ｂは後述するスライド施錠部材用バネを支持する支持ピンで、このバネ支持ピン１６ｂには、スライド施錠部材の昇降動に対応して切り替わることができるように「メガネバネ６５」が採用されている。１７はスライド施錠部材を案内するガイド軸で、このガイド軸１７は、鎌片４０とケース身１０ａの後壁との空間部に位置するように幅広側壁に固定的に設けられている。
１８は前記後壁と直交する幅広側壁に水平方向に形成されたトリガーガイドである。このトリガーガイド１８は、本実施例では水平案内長孔である。１９はケース身１０ａの幅広側壁の中央部に形成されたやや短い横長軸孔、２０はケース身１０ａの幅広側壁の右上部に形成された操作片用縦長窓である。
【００１３】
次に図３を参照にケース蓋１０ｂについて説明する。このケース蓋１０ａの幅広側壁の右上部にもケース身１０ａ側の操作片用縦長窓２０と対向する縦長窓２０ａが形成されている。また、ケース身１０ａと同様にトリガーガイド１８と対向するトリガーガイド１８ａが形成されている。さらに、本実施例のケース蓋１０ｂには、次のような構成上の特徴点がある。
【００１４】
すなわち、（ａ）ケース蓋１０ｂの中央部の左端部に形成された軸孔が、チリ調整用の横長軸孔２１である。このケース蓋１０ｂの横長軸孔２１はケース身１０ａの横長軸孔１９と対向する。（ｂ）また該横長軸孔２１を基準にして、その始端部の略真上からその終端部寄りの略右真横にかけて、第１スライド係合ピン５０用の第１弧状案内部２２が形成されている。本実施例では弧状切欠２２である。この第１弧状案内部２２は鎌片を回動させるために機能する案内部である。（ｃ）また該第１弧状案内部２２の終端部に連通して第１スライド係合ピン５０を受け入れるチリ調整用の第１横方向案内部２３が形成されている。この第１横方向案内部２３は前記弧状切欠２２に連通する水平切欠で、鎌片を水平方向に移動させるために機能する案内部である。しかして、第１スライド係合ピン５０を案内する第１弧状案内部２２及びチリ調整用の第１横方向案内部２３は、鎌片用第１案内部に相当する。（ｄ）また、ケース蓋１０ｂの中央部の左端部には、第２スライド係合ピン５１用の第２弧状案内部２４が形成されている。この第２弧状案内部２４は第１弧状案内部２２と同様に鎌片を安定的に回動させる機能を有する。（ｅ）そして、該第２弧状案内部２４に連通して第２スライド係合ピン５１を受け入れるチリ調整用の第２横方向案内部２５が形成されている。この第２横方向案内部２５は、第１横方向案内部２３と同様に鎌片を安定的に水平移動させる機能を有する。しかして、第２スライド係合ピン５１を案内する第２弧状案内部２４及び第２横方向案内部２５は、鎌片用第２案内部に相当する。ところで、鎌片用第２案内部２４，２５は、本実施例では、全体として弧状的案内切欠となっており、例えば左手の親指を下方に向けて人差し指を開いて右側に指向したような格好をしている。したがって、鎌片用第２案内部は、鎌片の水平移動軸を基準にした同心円上に位置する弧状の縁辺と、この縁辺に続く水平の縁辺とを有している。
【００１５】
（４）トリガー：水平進退動部材
次に図１、図４、図５を参照にトリガーについて説明する。３１は錠ケース１０内に摺動自在に装着されたトリガーである。このトリガー３１は、開戸時、錠ケース１０のフロント１１から突出する短杆状先端部３２と、この突出先端部３２にやや幅広に連設する横長状杆部３３とから成る。
【００１６】
前記横長状杆部３３の後端面とケース身１０ａの後壁との間にはトリガーバネ３４が横方向に組込まれている。トリガーバネ３４は、その先端部が横長状杆部３３後端面に圧接し、一方、後端部はバネ支持具１６ａに支持されている。したがって、開戸時、トリガー３１は、その先端部３２の一部が常時フロント１１から突出するように付勢されている。
【００１７】
このトリガー３１には本発明の特定要件の一部が設けられている。すなわち、トリガー３１は錠ケースを進退動する時、錠ケース１０のトリガーガイド１８，１８ａに案内されるが、その際、トリガー３１をガタガタさせずに「スムース」に案内させる必要があるので、トリガー３１の横長状杆部３３の両側壁に、前記トリガーガイド１８，１８ａにそれぞれ係合する突片状係合突起３５，３５が設けられている。
しかして、本実施例の少なくとも一つの係合突起３５は、単にトリガー３１を案内するガイド機能のみならず、閉戸時、鎌片４０が完全に出切った状態でなければスライド施錠部材６０を施錠方向へ移動（本実施例では下降）させない障害突起の機能も果たしている。そこで、トリガー３１の係合突起３５は、スライド施錠部材６０の鉤状腕部６１の位置ないしその幅寸法を考慮して横長状杆部３３の後端部寄りの部位に段差状に設けている。
【００１８】
またトリガー３１は、本施錠方向へスライド施錠部材６０が移動した際に、スライド施錠部材６０に設けた単数又は複数の係合爪片６２と係合する被係合部３６を有している。この被係合部３６は、本実施例ではトリガーの進出を阻止する反面、その後退動を許容するラチェット歯が採用されている。ラチェット歯３６は、スライド施錠部材６０の係合爪片６２が鉤状腕部６１の側壁に突起状に設けた連続的な係合歯なので、これに対応（係脱）するように横長状杆部３３の上壁に連続的に形成されている。
【００１９】
さらに、トリガー２１は、ラチェット歯３６とは反対側の下壁に動力変換機構を構成するラック３７を有している。
【００２０】
ところで、前述したように、本実施例ではストライク４の前面に押し込みピン７が突設されているので、引戸１を閉める際に、トリガー３１は該押し込みピン７に直接押されて錠ケース１０内へと後退動する。受け金具Ｙを有するサッシ状の戸枠２と引戸錠Ｘを有する引戸１との間に設定した「チリ」の間隔、例えば２ｍｍ，３ｍｍ、４ｍｍ，５ｍｍ、６ｍｍなどチリ寸法如何にもよるが、本実施例では、図１０で示すように、「チリ寸法ａを５ｍｍに設定した場合」に於いても、押し込みピン７はトリガー用窓１５に貫通状態に入り込み、その結果、トリガー３１はトリガーバネ３４のバネ力に抗して錠ケース１０内に「スッポリ」と入り込んでいる。
【００２１】
（５）トリガーバネ
トリガーバネ３４は、引戸１の閉戸時に、トリガー３１の先端部３２がストライク４の押し込みピン７に突き当たると、トリガー３１の後退にしたがって収縮し始める。一方、引戸１を開くにつれて先端部３２が押し込みピン７から離れると、トリガー３１の進出にしたがって伸長する。しかしながら、本実施例では図１で示すように押し込みピン７の突出量ｂ（仮想線の間の寸法）に相当する分だけトリガー３１の先端部３２の突出量が少ないので、トリガー３１の横長状杆部３３がフロント１１の内壁面に突き当たると、その突出量は従来のトリガーの突出量と比較すると、相当少ない。それ故に、本実施例では、トリガー３１の先端部３２を「短杆状」と表現している。
【００２２】
（６）鎌片
４０は鎌片である。鎌片４０は、基部に動力変換機構の一部を構成するピニオン４１を備えると共に、錠ケース１０内にチリ調整用水平移動軸４２を介して軸支され、かつ、トリガー３１の後退動に連動してストライク４と掛合する方何へ回転する。しかして、鎌片４０は、ピニオン４１を有する基部４３と、ストライク４と係合する鉤状先端部４４と、幅広後端部４５とから成る。
【００２３】
ところで、本実施例の鎌片４０の特徴は、水平移動軸４２を基準にして単に掛合方向に回転するだけではなく、鎌片４０が完全に突出した施錠状態に於いて、引戸１を閉戸方向へ「チリを設定した分だけ」閉めることができるようにチリ調整用の横長軸孔１９，２１に軸支されていることである。
また鎌片４０は、該鎌片が完全に突出した施錠状態に於いて、安定的に水平移動することができるように錠ケース１０の第１・第２横方向案内部２３，２５に案内されるスライド係合ピン５０，５１を有する案内板４７を備えている点である。もちろん、この案内板４７は、本実施例のように鎌片４０とは別体に形成され、その後に鎌片４０の側壁に一体的に固定されたものでも良いし、又は鎌片４０自体に案内板４７に相当する案内部を突出形成し、該案内部にスライド係合ピンを単数又は複数個を設けたものであっても良い。
【００２４】
そこで、案内板４７について説明する。案内板４７は、本実施例では鎌片４０の基部４３の側壁に固定され、解錠状態を示す図１又は図４を基準にすると、トリガー３１と交差するように上方に延設する垂直状腕杆部４８と、この垂直状腕杆部４８を基準にして略９０度の角度を有してフロント側１１に突出する短突起部４９とを有し、前記垂直状腕杆部４８には、前述した第１弧状案内部２２及び第１横方向案内部２３を移動する第１スライド係合ピン５０が設けられ、一方、前記短突起部４９には、鎌片用第２案内部２４，２５に案内される第２スライド係合ピン５１が設けられている。
（７）スライド施錠部材
スライド施錠部材６０の形態は任意に設計変更可能である。本実施例では、図１で示すようにケース身１０ａのガイド軸１７に垂直長孔６４を介して上下方向に自在に案内される長板状の垂直胴部６３と、この垂直胴部６３の上端部に連設する鉤状腕部６１と、この鉤状腕部６１の側壁に突起状かつ下向きに設けられた係合爪片６２とから成る。なお、前記鉤状腕部６１の端面Ｌ型状の垂直胴部６３に連設する部位には、例えば図１で示すケース身１０ａ側の操作片用縦長窓（２０、２０ａ）と対向し、かつ図示しない操作片が入り込む不番の取り付け窓が形成されている。またケース身の後壁に対向する側壁には、トリガーバネの端部が貫通する切欠６６或いは孔が形成されている。
【００２５】
上記構成に於いて、まず図１は、開戸ないし解錠状態における押し込みピン７、トリガー２１、鎌片４０、スライド施錠部材６０の各状態を示す。この場合、（１）トリガー３１の短杆状先端部３２は、トリガーバネ３４のバネ力によりフロント１１から僅かに突出し、（２）鎌片３０は錠ケース１０側に回転後退している。（３）また、スライド施錠部材６０は錠ケース１０の上方に位置し、トリガー３１のスライド施錠部材６０の係合突起３５が鉤状腕部６１の下方に位置しているために、施錠方向へ下降することができない。
【００２６】
次に、図８（ａ），（ｂ），（ｃ）は、鎌片の回動ないし水平移動の流れを示す。まず図８（ａ）は、閉戸時、トリガー３１の先端面が押し込みピン７に当たり、トリガー３１が多少後退した中途状態を示す。この場合鎌片４０の移動軸４２は横長軸孔１９，２１の始端部に位置したままであり、鎌片４０は水平移動軸４２を中心に動力変換機構３６，４１を介して回転し始める。この時鎌片４０の第１スライド係合ピン５０は第１弧状案内部２２に、一方、鎌片４０の第２スライド係合ピン５１は第２弧状案内部２４にそれぞれ案内されて移行しつつある。
次に図５（ｂ）は、前記の状態に於いて、トリガー３１が、さらに押し込みピン７に押されて錠ケース１０内に「スッポリ」と入り込んだ状態を示している。この場合鎌片４０は完全に突出して施錠状態になるが、移動軸４２は相変わらず始端部に位置したままであり、第１及び第２第１スライド係合ピン５０，５１の両者が所定の位置まで移動をしている。この時、第１スライド係合ピン５０は横長軸孔１９，２１の終端部に、また第２スライド係合ピン５１は第２弧状案内部２４の弧状縁辺の上方に至っている。
ところで、鎌片４０の施錠状態に於いて、今「チリ寸法が５ｍｍ程度あった」と仮定する。このようにチリが「０（ゼロ）」ではなく、数ミリあった場合に引戸を閉めると、鎌片４０はトリガー３１を介して完全な施錠状態を維持したまま錠ケース１０の内部に後退する。
図５（ｃ）で示すように、この時、トリガー３１はその係合突起３５，３５と錠ケース１０の水平方向のトリガーガイド１８，１８ａを介して、一方、鎌片４０は錠ケース１０の横長軸孔１９，２１を摺動する水平移動軸４２、ケース蓋１０ｂの第１横方向案内部２３を摺動する第１スライド係合ピン５０、第２横方向案内部２５をそれぞれ介し、両者は合体状態で水平方向へ移動する。
次に図９ないし図１２を参照に本発明のトリガーとスライド施錠部材との関係（作動態様）について説明する。
図９は、図８の（ａ）に相当し、トリガー３１の先端面が押し込みピン７に当たり、トリガー３１の後退動に対応して鎌片４０が突出した中途状態である。このような中途状態では、トリガー３１の係合突起３５とスライド施錠部材６０の鉤状腕部６１の先端面と対向状態である。したがって、まずトリガー３１が移動している状態ではスライド施錠部材６０を下げることはできない。
図１０は、図８の（ｂ）に相当し、トリガー３１が、さらに押し込みピン７に押されて錠ケース１０内に「スッポリ」と入り込んだ状態である。この時、仮に設定したチリａが、例えば５ｍｍ程度あったとしても、この時鎌片４０が完全に突出した仮施錠状態になっているならば、スライド施錠部材６０を押し下げることが可能である。しかし、もし、鎌片４０の突出状態が不完全ならば、トリガー３１の係合突起３５が障害突起の機能を発揮し、スライド施錠部材６０を押し下げることはできない。
図１１は、図８の（ｃ）に相当し、鎌片４０の仮施錠状態に於いて、「スライド施錠部材６０」を押し下げた状態を示す。この場合鎌片４０は完全に突出しているので、スライド施錠部材６０を押し下げることができる。しかして、スライド施錠部材６０を押し下げると、その係合爪片６２がトリガー３１の被係合部３６に係合する。ところで、この場合前述したメガネバネ６５の他端部がスライド施錠部材の上端部に適宜取付けられているので、スライド施錠部材６０には、切り替わったメガネバネ６５のバネ力が作用している。なお、この場合鎌片４０は完全に突出しているので、スライド施錠部材６０の押し下げが先か、それとも引戸１をさらに閉める方が先か（後先）を問わず、スライド施錠部材６０を押し下げることができる。
図１２は、図１１に於いて、引戸１を、チリを狭める方向Ａへ閉めた一例を示す。前述したようにスライド施錠部材６０には、切り替わったメガネバネ６５のバネ力が作用しているので、引戸１を「さらにチリを狭める方向Ａ」に閉じると、トリガー３１及びこれに動力変換機構を介して合体的な関係にある鎌片４０が一緒に錠ケース１０に後退するが、この時、スライド施錠部材６０の係合爪片６２は、ラチェット歯３６の歯向きにしたがって、かつ、弾発しながら係脱する。そして、その係脱を繰り返す度に、トリガー３１はラチェット歯３６の垂直面によりその突出がワンピッチ毎に阻止され、その係合の位置如何に拘わらず、常に本施錠状態が維持されている。
【００２７】
【実施例】
この実施例の引戸錠Ｘには、特に図示しないが鎌片４０の下方空間に鎌片の後端部を係止する回動片を有する仮施錠部材を設けることが可能である。また、トリガー３１を安定的な進退動を図るために、トリーに垂直状に延設するスライド案内長板を設けることも可能である。
【００２８】
【発明の効果】
以上の説明から明らかなように、本発明にあっては、閉戸時、鎌片がストライク側に完全に出ていない場合には、トリガーの係合突起が障害になるので、スライド施錠部材を本施錠方向へ押し下げることができない。したがって、中途半端な状態で本施錠状態になるという事態を回避することができる。また、例えばチリが５ｍｍに設定されている場合に於いて、引戸を閉めた際に鎌片がトリガーの後退動に連動して完全に突出し、その後にスライド施錠部材を本施錠方向へ押し下げ、いわゆる本施錠状態になって場合であっても、さらに引戸を、チリを狭める方向へと閉めることが可能である。この場合、スライド施錠部材には、バネ部材のバネ力が作用しているので、引戸を「さらにチリを狭める方向Ａ」に閉じたとしても、スライド施錠部材の係合爪片は、トリガーの被係合部（例えばラチェット歯）に対して弾発しながら係脱し、しかも、被係合部によりその突出が阻止されるので、トリガー及びこれと連動関係にある鎌片の本施錠状態に全く影響することなく、どの係合位置でも常に完全な施錠状態を維持することができる。
【図面の簡単な説明】
図１乃至図１２は本発明の第１実施例を示す各説明図である。
【図１】発明の実施形態の一例を示す概略説明図（引戸を開いた解錠状態）。
【図２】錠ケース（特にケース身）の概略説明図。
【図３】錠ケース（特にケース蓋）の概略説明図。
【図４】主たる部材の斜視図。
【図５】トリガーの正面図。
【図６】鎌片の正面図。
【図７】スライド施錠部材の正面図。
【図８】鎌片の作動状態を示し、（ａ）は中途状態、（ｂ）は鎌片が完全に突出した状態、（ｃ）はそのままチリを狭めた状態をそれぞれ示す各概略説明図。
【図９】図８の（ａ）の中途状態におけるトリガーとスライド施錠部材との関係を示す概略説明図。
【図１０】図８の（ｂ）の鎌片が完全に突出した状態におけるトリガーとスライド施錠部材との関係を示す概略説明図。
【図１１】図１０に於いて、スライド施錠部材を押し下げた本施錠状態の概略説明図。
【図１２】図１１に於いて、そのままチリを狭めた状態を示す概略説明図。
【符号の説明】
Ｘ…引戸錠、１…引戸、Ｙ…受け金具、２…戸枠、３…トロヨケ、４…ストライク、７…押し込みピン、１０…錠ケース、１１…フロント、１２…蓋板、５，１３…固着手段、１６ａ…バネ支持部、１６ｂ…バネ支持ピン、１７…ガイド軸、１８，１８ａ…トリガーガイド、１９，２１…横長軸孔、２０，２０ａ…操作片用窓、２２…第１弧状案内部、２３…第１横方向案内部、２４…第２弧状案内部、２５…第２横方向案内部、３１…トリガー、３２…短杆状先端部、３３…横長状杆部、３４…トリガーバネ、３５…係合突起、３６…被係合部、３７…ラック、４０…鎌片、４１…ピニオン、４２…水平移動軸、４３…基部、４４…鉤状先端部、４５…幅広後端部、４７…案内板、４８…腕杆部、４９…短突起部、５０…第１スライド係合ピン、５１…第２スライド係合ピン、６０…スライド施錠部材、６１…鉤状腕部、６２…係合爪片、６３…垂直胴部、６５…バネ部材、ａ…チリ、ｂ…突出量、Ａ…チリを狭める方向。
【図１】
0004375909.tif 000002
【図２】
0004375909.tif 000003
【図３】
0004375909.tif 000004
【図４】
0004375909.tif 000005
【図５】
0004375909.tif 000006
【図６】
0004375909.tif 000007
【図７】
0004375909.tif 000008
【図８】
0004375909.tif 000009
【図９】
0004375909.tif 000010
【図１０】
0004375909.tif 000011
【図１１】
0004375909.tif 000012
【図１２】
0004375909.tif 000013